【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
壁、フロア、フレームなどの固定支持構造に固定される、ドア、窓、ドアなどの閉鎖要素の開閉、および／またはチェックのための流体的ヒンジであって、
前記固定支持構造に懸架可能である固定要素（２０）と、
前記閉鎖要素に懸架可能である可動要素（１０）であって、前記固定要素（２０）と前記可動要素（１０）とは、前記可動要素（１０）が前記固定要素（２０）に対して、第１の長手軸（Ｘ）周りに開位置と閉位置との間で回転するような方式で相互に結合されている、可動要素（１０）と、を備え、
前記固定要素（２０）と可動要素（１０）との一方は、第２の長手軸（Ｙ）を規定する少なくとも１つの作動室（１３）を含み、前記少なくとも１つの作動室（１３）は少なくとも１つの部分（１５）を備え、前記部分（１５）は、
前記第２の軸（Ｙ）に沿ってスライド可能であるプランジャ部材（５１）であって、前記プランジャ部材（５１）は、前記固定要素（２０）と可動要素（１０）との他方と相互接続され、それにより、可動要素（１０）の回転が前記プランジャ部材（５１）のスライドに対応し、またその逆にもなるようになっている、プランジャ部材（５１）と、
前記可動要素（１０）の動きを流体的に減衰するための作動流体と、を含み、
前記プランジャ部材（５１）は、前記少なくとも１つの作動室（１３）の前記少なくとも１つの部分（１５）を、相互に流体連通する少なくとも２つの可変体積区画（１８、１９）に分割し、
前記閉鎖要素の開閉の一方が生じると、前記作動流体は前記第１の区画（１８）と第２の区画（１９）の一方から前記第１の区画（１８）と第２の区画（１９）の他方に流れ、前記閉鎖要素の開閉の他方が生じると、前記作動流体は前記第１の区画（１８）と第２の区画（１９）の前記他方から前記第１の区画（１８）と第２の区画（１９）の前記一方に流れ、
前記第１の区画（１８）と前記第２の区画（１９）との間に介在する第３の区画（１９’）をさらに備え、
前記少なくとも１つの作動室（１３）の少なくとも１つの部分（１５）は、それぞれのシート（５４、５４’）内でスライドする一対の制御部材（５２、５２’）を有する一対の逆止弁を備え、前記プランジャ部材（５１）が、協同して前記シート（５４、５４’）を規定するそれぞれの端部部材（５３、５３’）を含み、前記第３の区画（１９’）が前記端部部材（５３、５３’）間に介在され、
前記制御部材（５２、５２’）が、前記閉鎖要素の開閉の一方が生じると、前記制御部材（５２、５２’）の一方が開き、前記制御部材（５２、５２’）の他方が閉じるような方式で、および、前記閉鎖要素の開閉の他方が生じると、前記制御部材（５２、５２’）の前記一方が閉じ、前記制御部材（５２、５２’）の前記他方が開くような方式で両側に作用し、それにより、前記閉鎖部材の開閉の両方の間に、前記制御部材（５２、５２’）の一方のみを通して前記作動流体が選択的に流れるようになっており、
前記閉鎖要素の開閉の一方が生じると、前記作動流体が、前記少なくとも１つの作動室（１３）の少なくとも１つの部分（１５）の前記壁（１１’）を通る少なくとも１つの経路（７１、７２）と、前記第３の区画（１９’）を通して、前記第１の区画（１８）と第２の区画（１９）との間を流れる、ヒンジ。
【請求項２】
開閉されると、前記閉鎖要素の開閉を可能にする弾性反作用手段（４０）をさらに備えた、請求項１に記載のヒンジ。
【請求項３】
前記弾性反作用手段（４０）が最大および最小延長位置の間で移動し、前記弾性反作用手段（４０）は、前記可動要素（１０）が前記閉位置にある場合に最大延長位置にある、請求項２に記載のヒンジ。
【請求項４】
前記可動要素（１０）が前記閉位置にある場合、前記第１の可変体積区画（１８）が最大体積を有し、前記第２の可変体積区画（１９）が最小体積を有する、請求項１、２、または３に記載のヒンジ。
【請求項５】
前記ヒンジは隠れるタイプであり、前記固定要素（２０）が固定ヒンジ本体（２０）を含み、前記可動要素（１０）が可動ヒンジ本体（１０）を含み、前記ヒンジがさらに、前記可動ヒンジ本体（１０）が前記固定ヒンジ本体（２０）に対して前記第１の長手軸（Ｘ）周りに回転するように、前記固定ヒンジ本体（２０）と可動ヒンジ本体（１０）との相互接続のための接続アセンブリ（３０）を備え、前記固定ヒンジ本体（２０）または前記可動ヒンジ本体（１０）の前記１つが、前記閉鎖要素と前記固定支持構造との１つの中に隠れるように挿入可能である少なくとも１つの筒状要素（１１）と、前記可動要素（１０）の閉位置において前記接続アセンブリ（３０）を内部に収容することが可能である第１の箱状要素（１２）とを含み、前記少なくとも１つの筒状要素（１１）が前記第２の軸（Ｙ）を規定し、前記第２の軸（Ｙ）は前記第１の軸（Ｘ）とほぼ垂直であり、前記接続アセンブリ（３０）は、前記可動要素（１０）の前記開位置において前記第１の箱状要素（１２）から突出し、前記少なくとも１つの筒状要素（１１）は、前記少なくとも１つの作動室（１３）を内部に含む、請求項１から４のいずれかに記載のヒンジ。
【請求項６】
前記少なくとも１つの経路（７１）は第１の経路（７１）および／または第２の経路（７２）を含み、前記第１の経路（７１）は、前記第１の区画（１８）と流体連通する第１の開口（７３）と、前記第２の区画（１９）と流体連通する第３の開口（７５）とを有し、前記第２の経路（７２）は、前記作動室（１３）の前記壁（１１’）をさらに通り、前記少なくとも１つの第２の経路（７２）は、前記第１の区画（１８）と流体連通する第２の開口（７４）と、前記第２の区画（１９）と流体連通する第４の開口（７５’’）とを含み、一対の前記調整要素（７６、７７）は、各々がそれぞれの少なくとも１つの第１または第２の経路（７１、７２）の位置のそれぞれの操作端部（７８、７８’）と、ユーザによって外部から操作可能であるそれぞれの制御端部（７９、７９’）とが設けられている、請求項１から５のいずれかに記載のヒンジ。
【請求項７】
前記第２の開口（７３）は、前記プランジャ部材（５１）から、前記プランジャ部材（５１）のストローク全体について流体的に結合解除され、前記それぞれの調整要素（７６）が前記可動ヒンジ本体（１０）の前記開閉の速度を調整する、請求項６に記載のヒンジ。
【請求項８】
前記第２の開口（７４）が前記プランジャ部材（５１）のストロークの第１の部分について前記プランジャ部材（５１）と流体的に結合し、前記プランジャ部材（５１）の第２の部分について前記プランジャ部材（５１）から流体的に結合解除され、前記それぞれの調整要素（７７）が前記可動ヒンジ本体（１０）の前記開閉位置へのラッチ動作を調整する、請求項７に記載のヒンジ。
【請求項９】
前記少なくとも１つの経路（７１、７２）が、前記作動室（１３）の前記壁（１１’）を通る第３の経路（７２’）を有し、前記第３の経路（７２’）が、前記第１の区画（１８）と流体連通する複数の第５の開口（７４’）と、前記第２の区画（１９）と流体連通する第６の開口（７５’）とを含み、第３の調整要素（７７’）が、ユーザによって外部から操作可能であるそれぞれの制御端部（７９’’）と、前記複数の内の１つまたは複数の前記第５の開口（７４’）を選択的にふさいで、前記閉鎖要素の前記開閉の角度を流体的に制限する操作端部（７８’’’）とを有して設けられる、請求項１から８のいずれかに記載のヒンジ。
【請求項１０】
前記作動流体が、前記第１の区画（１８）と前記第２の区画（１９）との間を前記第３の区画（１９’）を通って流れ、前記ヒンジが前記第３の経路（７２’）と、前記第１の経路および／または第２の経路（７１、７２）の少なくとも１つとを含み、前記作動流体が、前記第１の区画（１８）から前記第２の区画（１９）に、前記第３の経路（７２’）と、前記第１の経路および／または第２の経路（７１、７２）の少なくとも１つとのうちの一方を通って流れ、前記作動流体は前記第２の区画（１９）から前記第１の区画（１８）に、前記第３の経路（７２’）と、前記第１の経路および／または第２の経路（７１、７２）の少なくとも１つとのうちの他方を通って流れる、請求項１から９のいずれかに記載のヒンジ。